(57)【要約】【課題】海洋生物起源の天然物質を用いて、植物の生理作用に適合した牧草地・農地・植林地用の肥料を提案すること。【解決手段】天然に得られるコーラルサンドを水洗し、乾燥したものから牧草地・農地・植林地用の肥料を構成し、それが含むマグネシウム、カリウムなどを肥料成分として利用する。また、コーラルサンドからは、天然物質特有のバランスをもって微量成分や超微量成分も肥料に溶出し、植物や樹木の生育に適合した肥料になる。コーラルサンドからは、植物の組織や生理作用に悪影響を及ぼす成分が溶出しない。【選択図】　　　なし【特許請求の範囲】
【請求項１】
天然から産出される砂状のサンゴ化石またはコーラルサンドを含む牧草地・農地・植林地用の肥料。
【請求項２】
請求項１において、
天然から産出される前記砂状のサンゴ化石またはコーラルサンドを洗浄して脱塩した後に所定の粒度に揃えたものを含むことを特徴とする牧草地・農地・植林地用の肥料。
【請求項３】
請求項１または２において、
他の牧草用肥料成分、農作物用肥料成分および樹木用肥料成分のうちの一つと、農薬成分とを含むことを特徴とする牧草地・農地・植林地用の肥料。
【請求項４】
請求項１、２または３に記載の牧草地・農地・植林地用の肥料を用いて牧草・農作物・樹木を育成することを特徴とする牧草・農作物・樹木の成育方法。
【発明の詳細な説明】
【０００１】
【発明の属する技術分野】
本発明は牧草地・農地・植林地用の肥料および牧草・農作物・樹木の成育方法に関するものである。
【０００２】
【従来の技術】
競走馬などのための牧草地では、草地の牧草生産増大のために多量の肥料が投入されている。しかしながら、多量の肥料が投入された土壌はその無機養分環境の乱れが引き起こされる惧れがある。すなわち、土壌に含まれている無機要素のバランスが崩れる惧れがある。土壌の無機バランスが乱されると、そのような牧草地に生育した牧草も、その環境を反映して、その植物体内の無機バランスが乱される。さらに、このような牧草を飼料として育った家畜も、体内における無機バランスを乱し、場合によっては無機バランスの乱れに起因して家畜の栄養障害が多発する可能性もある。
【０００３】
そこで、牧草成育用肥料と共に、土壌改良剤や飼料を牧草地に投入して、牧草地および家畜の無機バランスを整えるようにしている。このため、牧草地には、肥料、土壌改良剤、飼料が多量に投入され、また、害虫駆除や雑草駆除などのための農薬なども多量に投入されているのが一般的である。
【０００４】
【発明が解決しようとする課題】
ここで、これらの肥料、土壌改良剤、飼料などは化学的に合成されたものであり、化学薬品のみを投入すると、次のような弊害が発生する惧れがある。
【０００５】
まず、自然界の複雑な生理的メカニズムに適合した牧草成育・家畜生育条件を崩すという観点からみると、化学品にはその製造過程で生じた不純物が必然的に含まれ、この不純物は、植物および家畜の複雑な生理作用に悪影響を及ぼすことがある。この影響は、化学的に牧草成育用肥料などを調製する限り、解消できない。
【０００６】
また、複雑な生理的メカニズムに適合した牧草成育・家畜成育条件をつくり出せないという観点からみると、以下の問題点がある。
【０００７】
第１に、成分を生体に与えるにあたって、天然物から与えた方が工業的に合成した物から与えた場合に比して生体に吸収されやすいことは、一般的な事実である。たとえば、生物に対するビタミンＣの吸収度を、化学的に合成したアスコルビン酸として与えた場合と、天然のビタミンＣとして与えた場合とを比較すると、天然のビタミンＣの方が吸収度が高く、吸収されたビタミンＣの効果も高いことが知られている。すなわち、天然のビタミンＣには、バイオフラボノイド等を複合体として含んでいるからと考えられる。しかし、このような共存成分等の効果を化学薬品を組み合わせて得ることは容易でない。
【０００８】
第２に、植物には、炭素、水素、酸素、リン、カリウム、カルシウム、硫黄、マグネシウム等の１６の元素が多量元素として必要であると共に、鉄、塩素、マンガン、ホウ素、亜鉛、銅、モリブデン等も微量元素として必要であることが知られているが、その他にも、ケイ素、アルミニウム、コバルト、セレン等も超微量であるが適度な量およびバランスをもって植物に与えないと、動物または高等植物に栄養障害がおきるとの報告がある。しかしながら、化学品を用いて、これらの多量元素および微量元素を適切なバランスで植物に与えることは容易ではなく、特に、超微量元素を所定の量およびバランスで植物に与えることは困難である。
【０００９】
このような問題は、牧草地に限らず、農地や植林地においても発生する問題である。
【００１０】
以上の問題点に鑑みて、本発明の課題は、土壌、牧草および家畜の無機バランスを乱すことがなく、しかも化学的な処理工程で混入する不純物を含むことのない牧草地・農地・植林地用の肥料および牧草・農作物・樹木の成育方法を提案することにある。
【００１１】
【課題を解決するための手段】
本発明者等は、天然から産出される砂状のサンゴ化石またはコーラルサンドの成分に着目し、そのミネラルバランスが植物や樹木の生育に好環境となることを見出し、これに基づき本発明に到った。
【００１２】
すなわち、植物必須要素は、表１に示すように、１０要素と６種類の微量要素とけい素である。これに対して、本発明に用いる砂状のサンゴ化石又はコーラルサンドは、熱帯海域または亜熱帯海域の造礁サンゴの骨格が化石化したものが粉砕されたものであって、表２に示す成分比を有する。
【００１３】
【表１】
2004010370.tif 000002
【００１４】
（表２）　砂状のサンゴ化石およびコーラルサンドの成分
炭酸（ＣＯ２）　　　　４０．８　％
カルシウム　　　　　３５．０　％
マグネシウム　　　　　２．０　％
カリウム　　　　　　　　１０　ｐｐｍ
ナトリウム　　　　　１２００　ｐｐｍ
鉄　　　　　　　　　１２２０　ｐｐｍ
リン　　　　　　　　　３６０　ｐｐｍ
ケイ素（ＳｉＯ２）　　２１００　ｐｐｍ
フッ素　　　　　　　　２７０　ｐｐｍ
塩素　　　　　　　　　１９０　ｐｐｍ
イオウ　　　　　　　２１００　ｐｐｍ
ヨウ素　　　　　　　　２．２　ｐｐｍ
銅　　　　　　　　　　０．８　ｐｐｍ
亜鉛　　　　　　　　　２．４　ｐｐｍ
クロム　　　　　　　　　１４　ｐｐｍ
モリブデン　　　　　　０．２　ｐｐｍ以下
ニッケル　　　　　　　１．８　ｐｐｍ
コバルト　　　　　　　　１２　ｐｐｍ
マンガン　　　　　　　　１２　ｐｐｍ
バナジウム　　　　　　　１１　ｐｐｍ
セレン　　　　　　　０．０５　ｐｐｍ
ホウ素　　　　　　　　　１０　ｐｐｍ
臭素　　　　　　　　　　　２　ｐｐｍ
アルミニウム　　　　０．０３　％
ストロンチウム　　　０．３８　％
チタン　　　　　　　　４３０　ｐｐｍ
鉛　　　　　　　　　　０．６　ｐｐｍ
ヒ素　　　　（Ａｓ２Ｏ３）２．０　ｐｐｍ
カドミウム　　　　　　検出せず
水銀　　　　　　　　　検出せず
強熱減量　　　　　　　３．０　　％
乾燥減量　　　　　　　０．１８　％
【００１５】
従って、表１の右端の欄に丸印で示すようにコーラルサンドには植物必須要素の殆どが含まれており、しかも、その含有比率は植物の生育にとって良環境を形成するバランスとなっている。
【００１６】
本発明に係る牧草地・農地・植林地用の肥料は、この点に鑑みて、天然から産出される砂状のサンゴ化石、コーラルサンドまたはそれらの粉末を含むことに特徴を有するものである。
【００１７】
サンゴ化石またはコーラルサンドは、天然のものをそのまま用いることも可能であるが、一般には脱塩し洗浄した後に乾燥し、それを所定の粒度に揃えた状態で用いることもできる。
【００１８】
また、牧草地・農地・植林地用の肥料には、サンゴ化石またはコーラルサンドに加えて、他の肥料成分や農薬成分を加えることもある。
【００１９】
本発明において、牧草地・農地・植林地用の肥料を牧草地・農地・植林地に散布することにより牧草・農作物・樹木に与えてもよいが、水などの液体に溶かした状態で、牧草地・農地・植林地に散布してもよい。
【００２０】
このように、コーラルサンドを用いた牧草地・農地・植林地用の肥料は、植物に必要な多量元素としてのマグネシウム、ナトリム、カリウム、リン等が含まれている。これと共に、サンゴ化石またはコーラルサンドは、天然の物質特有のバランスをもって微量成分や超微量成分を含んでいる。従って、自然界の複雑な生理的メカニズムに適合した肥料を容易に調製できる。
【００２１】
また、サンゴ化石またはコーラルサンドは、化学薬品と異なり、生態学的化学組織を有し、それから溶出する成分には、植物や樹木の組織や生理作用に悪影響を及ぼす成分を含まない。このため、生理的メカニズムに適合した栽培条件を崩さない。
【００２２】
さらに、サンゴ化石またはコーラルサンドは、多数の細孔を有し、これらの細孔は、加熱処理が施されることによって１０〜５０μｍの大きさに成長する。従って、天然で得られたコーラルサンドそのもの、また、コーラルサンドを洗浄してある程度塩分を除去した後に散布すると、表面積が大きいので、各成分が容易に溶出する。また、サンゴ化石またはコーラルサンドは、それ自体が制菌効果を有するので、植物や樹木の根が腐ることがない。
【００２３】
これに加えて、本発明の牧草地・農地・植林地用の肥料を牧草地・農地・植林地に散布すれば、そのまま土壌改良剤として機能し、また、家畜に必要なミネラル成分を適切なバランスで含んでいるので家畜用の飼料として機能する。よって、土壌改良剤および家畜用飼料としても機能する牧草地・農地・植林地用の肥料を実現できる。
【００２４】
【発明の実施の形態】
以下、本発明を適用した牧草地用の肥料についてその各実施例を説明する。
【００２５】
【実施例１】
本例の牧草地用の肥料は、天然のコーラルサンドを洗浄し、ある程度の塩分を除去したものを乾燥し、それを所定の粒度に揃えたものから構成した。なお、天然に得られるコーラルサンドそのものを原料にしてもよい。
【００２６】
本例の牧草地用の肥料を調製するために、まず、対象となる牧草に適した肥料の組成を決定した。肥料に必須な元素は、リン、カリウム等の多量元素、鉄、塩素、マンガン等の微量元素、ケイ素、アルミニウム、コバルト、セレン等の超微量元素である（表１参照）。これらの必須元素は、全て、コーラルサンドに含まれているので、コーラルサンドを主たる成分供給源とした。また、それだけでは不足する場合や、尿素などのように、コーラルサンドが含有しない成分については化学肥料で補った。
【００２７】
この調製にあたっては、まず、コーラルサンドおよび各種の化学肥料を種類毎に計量し、それぞれをポリエチレンシート上に盛った。計量は、規定量に対して±５％の範囲を目安にした。
【００２８】
次に、調合容器に、コーラルサンドおよび各種の化学肥料を１種類ずつ投入した後に、混合した。この調合物には、コーラルサンドのリン、カリウム等の多量元素、鉄、塩素、マンガン等の微量元素、ケイ素、アルミニウム、コバルト、セレン等の超微量元素が含まれている。
【００２９】
この調製操作において、コーラルサンドで不足する成分を化学肥料で補う場合には、まず、超微量元素および微量元素に相当する化学肥料を投入した後に、多量元素に相当する化学肥料を投入する。
【００３０】
次に、調合容器内の混合物を取り出しｐＨを確認した。ｐＨが低すぎる場合には植物を傷めるので、ｐＨを６．０〜６．５の範囲内に調整した。
【００３１】
次に、ｐＨを再度確認し、６．０〜６．５の範囲からずれている場合には、ｐＨを調整した。
【００３２】
本例では、コーラルサンドを牧草地用の肥料に用い、コーラルサンドからマグネシウム、カリウム、リン等の混合肥料成分を溶出させるため、コーラルサンドが含有していた微量成分や超微量成分も、天然の物質特有のバランスをもって溶出する。従って、この混合肥料の組成は、植物の複雑な生理的メカニズムに適合している。
【００３３】
また、コーラルサンドは、海洋生物起源の天然物質であるため、化学薬品と異なり、植物の組織や生理作用に悪影響を及ぼす不純物を含まないので、それから溶出する成分は、植物の生理的メカニズムを崩さない。
【００３４】
さらに、コーラルサンドは、多数の孔を有し、その表面積が大きいので、各成分が水に容易に溶出し、牧草地の肥料に適している。
【００３５】
ここで、コーラルサンドと共に、他の肥料物質または農薬物質を混合して牧草地用の肥料を製造することもできる。
【００３６】
【実施例２】
本例は、天然に得られたコーラルサンドを水洗した後に、加熱し、乾燥したものを粒度を揃えて牧草地用の肥料としている。
【００３７】
まず、コーラルサンドを水に溶かして牧草地用の肥料を得た。また、予め、植物に必要な成分のうち、コーラルサンドからの溶出のみでは不足する成分を水に溶かした。
【００３８】
本例の牧草地用の肥料に含まれているコーラルサンドからはマグネシウム、ナトリム、カリウム、リン等が除々に溶出して植物に吸収される。コーラルサンドは、天然の物質特有のバランスをもって微量成分や超微量成分も含んでいるため、植物の生育に適している。しかも、コーラルサンドからは、植物の組織や生理作用に悪影響を及ぼす成分が溶出しない。
【００３９】
さらに、大腸菌をプレートしたものに、コーラルサンドを部分的に蒔くと、その部分では、大腸菌の生育が阻止されることから確認できているように、コーラルサンドは、植物に供給される肥料を制菌する効果を有する。また、コーラルサンドが有する多数の孔は、異物を吸着し、除去する。このため、植物の根が腐ることがないので、肥料に殺菌剤などを加える必要がない。
【００４０】
【実施例３】
コーラルサンドからなる牧草地用の肥料を、浄水器のように、フィルターなどに詰めた状態で使用するようにした。この場合には、コーラルサンドを詰めたフィルターに培養液を通しながら牧草地に供給し、それを再度、このフィルターを通して繰り返し使用した。
【００４１】
この場合でも、培養液中には、コーラルサンドからマグネシウム、ナトリム、カリウム、リン等の多量元素と共に、微量成分や超微量成分も天然の物質特有のバランスをもって溶出する。また、コーラルサンドからは、植物の組織や生理作用に悪影響を及ぼす成分が溶出しない。逆に、培養液を制菌するなど、実施例２と同様な効果を奏する。
【００４２】
なお、いずれの実施例においても、牧草成育用の培地の種類などは、栽培すべき牧草の種類に応じて最適なものが選択され、その種類などには限定がない。
【００４３】
（その他の実施の形態）
上記の各実施例は、本発明を適用した牧草地用の肥料であるが、これら各実施例と同様にコーラルサンドを調製することにより、農地用の肥料および植林地用の肥料を製造することができる。
【００４４】
【発明の効果】
以上のとおり、本発明においては、海洋生物の骨格起源の天然物質である砂状のサンゴ化石またはコーラルサンドを牧草地・農地・植林地用の肥料に用いたことに特徴を有する。従って、本発明によれば、コーラルサンドに含まれるマグネシウム、カリウム、リン等に加えて、微量成分や超微量成分も天然物質特有のバランスをもって植物に与えることができるので、植物の生育に適合した肥料を調製できる。
【００４５】
また、コーラルサンドは、海洋生物の骨格起源の天然物質であるため、植物の組織や生理作用に悪影響を及ぼす成分を含まない。
【００４６】
さらには、コーラルサンドは土壌改良剤および家畜用の飼料としてもそのまま用いることができるので、牧草地・農地・植林地に散布することにより、土壌改良剤および家畜の飼料として同時に利用可能な牧草地・農地・植林地用の肥料を実現できる。